(57)【要約】【課題】従来のヒータ制御装置は、有接点スイッチの接点のオン、オフによる接点消耗の防止については検討し、対策を講じているが、接点切替えと接続ヒータとの関係については検討がなく、接点を切替え使用時の駆動電源の消費電流が大きくなるという恐れがあった。【解決手段】本発明の有接点スイッチであるヒータ接点切替えスイッチは、接点切替えの指令が入力されない場合は、使用ヒータの時間が最長となるヒータの接点に接続するようにして、ヒータ切替え使用による接点切替え電流を小さくする。【選択図】        図１
2004158311.tif 000002
【特許請求の範囲】
【請求項１】
ヒータ電源スイッチと、
該ヒータ電源スイッチをオンオフするヒータ電源制御手段と、
複数の接点を有し、駆動電源により前記接点を切替えるヒータ接点切替えスイッチと、
該ヒータ接点切替えスイッチの前記駆動電源を動作させ、ヒータ接点を切替えるヒータ接点制御手段と、
前記ヒータ電源制御手段に前記ヒータ電源スイッチのオンオフ信号を出し、また、前記ヒータ接点制御手段にヒータ接点切替え信号を出力する加熱制御手段と、
前記加熱制御手段に加熱指示を入力する加熱指示入力手段とを備え、
前記加熱指示入力手段からの加熱指示の入力により、前記加熱制御手段が前記ヒータ電源制御手段に前記ヒータ電源スイッチをオンする信号を出力するとともに、必要に応じて前記ヒータ接点制御手段に、使用ヒータに接続する接点に接続接点を切替える接点切替え信号を出力するヒータ制御装置であって、
前記ヒータ接点切替えスイッチは、前記加熱制御手段がヒータ接点制御手段に接点切替え信号を出力しない場合は、複数のヒータのうち、通電時間が長くなる所定のヒータと接続可能な接点と接続することを特徴とするヒータ制御装置。
【請求項２】
故障検出手段を備え、該故障検出手段により、前記接点切替え信号の出力がない場合、前記所定のヒータの通電を検出し、通電がない場合故障と判定することを特徴とする請求項１に記載のヒータ制御装置。
【請求項３】
前記ヒータ接点切替えスイッチの複数の接点は、前記加熱制御手段が接点切替え信号を出力しないとき接続する第１接点と、専用のヒータに接続し、また、前記接点切替え信号による専用の駆動電源の作動により切替え接続する第２接点とからなることを特徴とする請求項１又は請求項２に記載のヒータ制御装置。
【請求項４】
複数の前記ヒータ接点切替えスイッチを直列に接続し、前段のヒータ接点切替えスイッチは、その第１接点を介して後段のヒータ接点切替えスイッチに接続することを特徴とする請求項１から請求項３のいずれかの請求項に記載のヒータ制御装置。
【請求項５】
前記ヒータ接点切替えスイッチは、駆動トランジスタ及び駆動電源により接点を切替える電磁切替えリレーであることを特徴とする請求項１から請求項４のいずれかの請求項に記載のヒータ制御装置。
【請求項６】
前記ヒータ電源スイッチは無接点スイッチであり、ヒータへの通電時は、有接点スイッチである前記ヒータ接点切替えスイッチを前記無接点スイッチより先にオン動作を行い、ヒータへの断電時には前記前記有接点スイッチより先に前記の無接点スイッチのオフ動作を行うことを特徴とする請求項１から請求項５のいずれかの請求項に記載のヒータ制御装置。
【発明の詳細な説明】
【０００１】
【発明の属する技術分野】
本発明は、ヒータの通電制御を行うヒータ制御装置に関する。
【０００２】
【従来の技術】
有接点スイッチのオンオフによりヒータの加熱制御を行うヒータ制御装置として、ヒータの両端に接続されたリレーとトライアックの開閉タイミングが、オン時にはリレーが先行してオンした後、次にトライアックがオンし、オフ時にはトライアックが先行してオフとなり、次にリレーがオフとなり、これにより、リレー接点の開閉時のアーク放電を防止し、信頼性を著しく向上するというものが記載されている（例えば、特許文献１参照。）。
また、その他にも同様なスイッチの接点保護についての記載がある（例えば、特許文献２参照。）。
【０００３】
【特許文献１】
特開昭６４−３１３６４号公報（第２頁、第１図〜第３図）
【特許文献２】
特開昭５９−４０４２８号公報（第２頁、第２図、第３図）
【０００４】
【発明が解決しようとする課題】
従来のヒータ制御装置は、前述のように有接点スイッチの接点保護はなされているが、スイッチ接点とヒータとの接続関係に何ら考慮がなされていない。
【０００５】
本発明は、リレースイッチ等のヒータ接点切替えスイッチでヒータを通電制御するヒータ制御装置の特性改善を目的とする。
即ち、ヒータ接点切替えスイッチの接点を切替える駆動電源の消費電流を小さくでき、電流容量を小さくできるヒータ制御装置を得ることを目的とする。
また、ヒータ接点切替えスイッチの接点の切替えが容易なヒータ制御装置を得ることを目的とする。
また、故障の検出が可能なヒータ制御装置を得ることを目的とする。
また、ヒータ接点切替えスイッチの接点の摩耗を防止できるヒータ制御装置を得ることを目的とする。
【０００６】
【課題を解決するための手段】
本発明に係わるヒータ制御装置は、ヒータ電源スイッチと、該ヒータ電源スイッチをオンオフするヒータ電源制御手段と、複数の接点を有し、駆動電源により接点を切替えるヒータ接点切替えスイッチと、該ヒータ接点切替えスイッチの駆動電源を動作させ、ヒータ接点を切替えるヒータ接点制御手段と、ヒータ電源制御手段にヒータ電源スイッチのオンオフ信号を出し、また、ヒータ接点制御手段にヒータ接点切替え信号を出力する加熱制御手段と、加熱制御手段に加熱指示を入力する加熱指示入力手段とを備えたヒータ制御装置であって、
ヒータ接点切替えスイッチは、加熱制御手段がヒータ接点制御手段に接点切替え信号を出力しない場合は、複数のヒータのうち通電時間が長くなる所定のヒータと接続可能な接点と接続するものである。
【０００７】
【発明の実施の形態】
実施の形態１．
図１は、実施の形態１の調理器であるロースターのヒータの加熱制御をするヒータ制御装置を示す回路構成図であり、図２は同じく、ヒータ制御装置の動作を示すタイミングチャート図であり、図３は同じく、ヒータ制御装置の故障検出手段の故障検出のフローチャート図である。
図１において、調理器であるロースター１は、１．５ｋＷの上面ヒータ２と１ｋＷの下面ヒータ３を有し、被加熱物である魚４などを焼くことができる。各ヒータ２、３はそれぞれ２００Ｖの交流電源５に接続されることにより、上面ヒータ２には７．５Ａの電流が流れ、下面ヒータ３には５Ａの電流が流れる。
ロースター１は上面ヒータ２が主ヒータで、このヒータ２で魚４全体を焼き上げるとともに、従ヒータである下面ヒータ３で魚４の下面の仕上げ焼きを行い、焼き色を付ける。
【０００８】
これらのヒータ２、３の加熱制御を行うヒータ制御装置は、ヒータ電源スイッチ６、ヒータ電源制御手段７、ヒータ接点切替えスイッチ８、ヒータ接点制御手段９、加熱制御手段１１、加熱指示入力手段１２、電流検出手段１３及び故障検出手段１４等から構成される。
【０００９】
ヒータ電源スイッチ６は無接点スイッチであり、本実施の形態ではトライアックである。トライアック６はヒータ電源制御手段７によりオン、オフされ、オン時に交流電源５をヒータ２、３に接続する。
ヒータ接点切替えスイッチ８は有接点切替えスイッチであり、本実施の形態では駆動トランジスタ１６と駆動電源１７を有し、これらを動作させヒータ接続接点を切替える電磁切替えリレー１８である。ヒータ接点切替えスイッチ８の電磁切替えリレー１８は、２個の接点を有し、駆動トランジスタ１６、駆動電源１７により接点切替え動作がなされない場合は常時、第１接点である接点２１（即ち、接点２１は常閉接点である）に接続しており、トランジスタ１６、駆動電源１７により接点切替え動作がなされることにより第２接点である接点２２に接続する。
また、第１接点２１は、ロースタ１使用時に上面ヒータ２と下面ヒータ３とで、より通電時間が長くなる上面ヒータ２に接続し、第２接点２２は、ロースタ１の下面ヒータ３に接続する。
駆動トランジスタ１６は、ヒータ接点制御手段９からの入力により駆動電源１７を動作し、ヒータ接点切替えスイッチ８の電磁切替えリレー１８の接点切替えがなされる。
【００１０】
加熱制御手段１１は、加熱指示入力手段１２からのヒータ加熱の入力により動作し、ヒータ電源制御手段７及びヒータ接点制御手段９に動作信号を出力する。但し、ヒータ接点制御手段９への動作信号は、ロースタ１の加熱ヒータを上面ヒータ２から下面ヒータ３に切り替えるときに出力される。
【００１１】
また、ヒータ電源スイッチ６を流れる電流を電流検出手段１３の電流トランス１３ａで検出する。
さらに、加熱制御手段１１は、故障検出手段１４を有しており、ヒータ電源制御手段７、ヒータ接点制御手段９及び電流検出手段１３の状態からヒータ電源スイッチ６及びヒータ接点切替えスイッチ８の故障を検出する。
【００１２】
図２のタイミングチャート図には、ヒータ接点制御手段９から出力されるヒータ接点切替えスイッチ８の電磁切替えリレー１８の接点切替えオン、オフ信号（オンは信号出力あり、オフはなし）と、ヒータ接点切替えスイッチ８の上面ヒータ２側の接点である第１接点２１のオン、オフ（オンはヒータ接続、オフは接続せず）及び下面ヒータ３側の接点である第２接点２２のオン、オフ（オンはヒータ接続、オフは接続せず）と、ヒータ電源スイッチであるトライアック６のオン、オフ状態と、電流検出手段１３の検出電流量を示す。
なお、ヒータ接点切替えスイッチ８の接点切替えを行う際には、トライアック６をオフ状態にした状態で切替えを行う。
【００１３】
次に、図１、図２を併用してヒータ制御装置のヒータ制御動作を説明する。
まず、加熱停止状態では、加熱制御手段１１はヒータ接点制御手段９とヒータ電源制御手段７の何れにも駆動指示の信号を出力せず、上面ヒータ２、下面ヒータ３の何れにも通電されないため、電流検出手段１３が電流トランス１３ａで検出する電流は０であり、図２ではＡの状態である。
次いで、加熱指示入力手段１２から加熱指示が入力されると、加熱制御手段１１はヒータ接点制御手段９には駆動信号を出力せず、そこで、ヒータ接点切替えスイッチの常閉接点である第１接点２１がオンした状態（上面ヒータ２に接続した状態）のままで、ヒータ電源制御手段７に駆動信号を出力してトライアック６を導通（オン）させ、交流電源５から上面ヒータ２に通電する。この状態は、図２ではＢの状態であり、電流検出手段１３が電流トランス１３ａで検出する電流はおよそ７．５Ａである。
【００１４】
上面ヒータ２へ通電開始後所定時間を経過すると、ヒータ電源制御手段７への駆動信号の出力を一時停止し、ヒータ接点制御手段９に駆動信号を出力し、ヒータ接点切替えスイッチ８の上面ヒータ側の第１接点２１をオフ、下面ヒータ側の第２接点２２をオンした（接点切替え）後、ヒータ電源制御手段７への駆動信号出力を再開することにより、交流電源５から下面ヒータ３に通電する。この状態は、図２ではＣの状態であり、電流検出手段１３が電流トランス１３ａで検出する電流はおよそ５Ａであり、上面ヒータの通電時間より短い期間継続される。
なお、図２に示すように、ヒータ接点切替えスイッチ８の接点切替えを行う際には、接点切替えを開始する前に、トライアック６をオフとし、接点切替えを完了した後に、トライアック６をオンにすることにより、ヒータ接点切替えスイッチ８の接点の保護を行っている。
【００１５】
次に、図３のフローチャート図を用いて、ヒータ電源スイッチである無接点スイッチのトライアック６やヒータ接点切替えスイッチの電磁切替えリレー１８の故障を検出する故障検出手段１４の動作を説明する。
なお、図２のＡ、Ｂ、Ｃの状態において、故障検出手段１４は電磁切替えリレー１８の駆動信号、無接点スイッチの駆動信号、及び電流検出手段１４の検出電流レベルから、図３のフローチャート図に示すように、トライアック６及び電磁切替えリレー１８の故障を検出する。
【００１６】
ステップ１でトライアック６への駆動信号（オンで信号出力あり）を判定し、トライアック６に駆動信号を出力していない場合（図２：Ａ状態）であれば、ステップ２で検出電流レベルが０か否か判断し、０であれば正常とし、０でなければ異常検出とする。
ステップ１でトライアック６に駆動信号を出力している（オン）場合には、ステップ３でヒータ接点切替えスイッチ８の電磁切替えリレー１８への駆動信号（オンで信号出力あり）を判定し、電磁切替えリレー１８に駆動信号を出力していない場合（図２：Ｂ状態）には、ステップ４で検出電流レベルが約７．５Ａのレベルか否か判断し、検出レベルが７．５Ａであれば正常とし、検出レベルが７．５Ａと異なれば故障検出とする。
また、ステップ３で電磁切替えリレー１８に駆動信号を出力している場合（図２：Ｃ状態）には、ステップ５で約５Ａの電流レベルか否か判定し、検出電流レベルが５Ａであれば正常とし、検出電流レベルが５Ａと異なれば故障検出とする。
故障を検出した場合には、加熱制御手段１１は、ヒータ接点制御手段９とヒータ電源制御手段７に対し、駆動停止指示の信号を出力して、加熱動作を停止させる。
なお、ステップ４、５で、それぞれ、通電があるか、ないかを判定し、ない場合を故障検出としてもよい。
【００１７】
以上のように、本実施の形態のロースター１では、上面ヒータ２が通電状態ではヒータ接点切替えスイッチ８の駆動トランジスタ１６はオフ状態（動作せず）であるため駆動電源１７から電流は流れないが、下面ヒータ３が通電状態ではヒータ接点切替えスイッチ８の駆動トランジスタ１６がオン状態となり、駆動電源１７からヒータ接点切替えスイッチ８の電磁切替えリレー１８へ駆動電流を供給している。
このロースター１の加熱動作は上面ヒータ２の長い通電期間と、下面ヒータ３の短い通電期間から構成され、時間の短い下面ヒータ３の通電期間のみ電磁切替えリレー１８を駆動する電流を駆動電源１７から供給すればよく、駆動電源１７の消費電流を少なくすることができる。
【００１８】
また、電磁切替えリレー１８を駆動できなくなった場合でも、上面ヒータ２に電力を供給でき、上面焼きが可能なので、魚等を焼く場合に、被加熱物を途中で裏返しにする片面焼き調理は使用可能である。
また、負荷電流の異なる各ヒータ２、３に対して共通に使用している無接点スイッチであるトライアック６に流れる電流を検出する電流検出手段１３を備え、無接点スイッチ６と有接点スイッチであるヒータ接点切替えスイッチ８の駆動状態と検出電流値から、各スイッチの故障状態を検出する故障検出手段１４を備えたので、低コストで故障の有無を検出できるヒータ制御装置を得ることができる。
【００１９】
実施の形態２．
図４は、実施の形態２のコンロとロースタとを有する調理器のコンロ用ヒータとロースタ用ヒータとのヒータ制御装置を示す回路構成図であり、図５は、同じくヒータ制御装置の動作を示すタイミングチャート図であり、図６は、同じくヒータ制御装置の故障検出手段の故障検出のフローチャート図である。
図４において、実施の形態２と同一の符号は同一または相当部分を示し、説明を省略する。
本実施の形態では、調理器はロースタ１のヒータ２、３の他にコンロのヒータ２３が加った３個のヒータを有し、コンロのヒータ２３ではコンロ上に載置された鍋２４を加熱する。また、ヒータが増えたことにより、ヒータ接点切替えスイッチを２個とする。
【００２０】
図４において、ヒータ接点切替えスイッチ８は、ヒータ電源スイッチである無接点スイッチのトライアック６に直列に接続する前段のヒータ接点切替えスイッチ８ａと前段のヒータ接点切替えスイッチ８ａの常閉接点である第１接点２１ａ（前段のヒータ接点切替えスイッチ８ａの常閉接点を２１ａとする）に接続された後段のヒータ接点切替えスイッチ８ｂとから成る。
また、両ヒータ接点切替えスイッチ８ａ、８ｂは、駆動電源１７（それぞれ、１７ａ、１７ｂとする）及び駆動トランジスタ１６（それぞれ、１６ａ、１６ｂとする）を有し、ヒータ接点制御手段９からそれぞれの駆動トランジスタ１６ａ、１６ｂへの接点切替え信号出力により、それぞれの駆動電源１７ａ、１７ｂが動作し、それぞれ、常閉接点である第１接点２１ａから第２接点２２ａ（前段のヒータ接点切替えスイッチの切替え接点を２２ａとする）、常閉接点である第１接点２１ｂ（後段のヒータ接点切替えスイッチ８ｂの常閉接点を２１ｂとする）から第２接点２２ｂ（後段のヒータ接点切替えスイッチ８ｂの切替え接点を２２ｂとする）に接続接点が切替えられる。
【００２１】
そこで、前段のヒータ接点切替えスイッチ８ａの第１接点２１ａは、後段のヒータ接点切替えスイッチ８ｂの接点に接続し、その時の接続接点は、ヒータ接点制御手段９からの切替え信号のあり、なしにより、それぞれ、第２接点２２ｂ、第１接点２１ｂとなる。
また、前段のヒータ接点切替えスイッチ８ａの第２接点２２ａは、コンロ用ヒータ２３に接続し、後段のヒータ接点切替えスイッチ８ｂの第１接点２１ｂは、ロースタ１の上面ヒータ２に、第２接点２２ｂは同じく下面ヒータ３に接続している。
【００２２】
かくして、無接点スイッチであるトライアック６の出力は、ヒータ接点制御手段９からの出力が前段及び後段のヒータ接点切替えスイッチ８ａ、８ｂにない（オフ）場合は、ロースター１の上面ヒータ２に、前段のヒータ接点切替えスイッチ８ａになく（オフ）、後段のヒータ接点切替えスイッチ８ｂにある（オン）場合は、ロースター１の下面ヒータ３に、そして、前段のヒータ接点切替えスイッチ８ａにある（オン）場合は、コンロ用ヒータ２３に接続される。
以上の如く、本実施の形態においても実施の形態１と同様に、調理器使用時に最長の通電時間となるとなるロースタ１の上面ヒータ２には、前段のヒータ接点切替えスイッチ８ａ及び後段のヒータ接点切替えスイッチ８ｂ共に接点切替え信号が出力されていない、即ち、駆動電源１７の動作なしに、接続している常閉接点である第１接点２１ａ及び第１接点２１ｂにより接続する。
【００２３】
また、本実施の形態のヒータ制御装置は、それぞれ、コンロ用ヒータ２３、ロースター１の上面ヒータ２、ロースター１の下面ヒータ３に印加される電圧を検出して各ヒータの通電状態を判定する通電検出手段３１、３２、３３を有し、故障検出手段１４によりヒータ電源制御手段７、ヒータ接点制御手段９、及び各ヒータの通電検出手段３１、３２、３３の状態から無接点スイッチであるトライアック６や有接点切替えスイッチである両ヒータ接点切替えスイッチ８ａ、８ｂの故障を検出する。
【００２４】
図５のタイミングチャート図には、ヒータ接点制御手段９から出力される前段及び後段のヒータ接点切替えスイッチ８ａ、８ｂの電磁切替えリレー１８ａ、１８ｂの接点切替えオン、オフ信号と、ヒータ電源スイッチであるトライアック６のオン、オフ状態と、コンロ用ヒータ２３の通電検出回路３１の検出信号、ロースター１の上面ヒータ２の通電検出回路３２の検出信号、ロースター１の下面ヒータ３の通電検出回路３３の検出信号を示す。
なお、ヒータ接点切替えスイッチ８ａ、８ｂの電磁切替えリレー１８ａ、１８ｂの駆動信号を変更する場合には、トライアック６をオフ状態にした状態で切替えを行う。
【００２５】
次に、図４、図５を併用してヒータ制御装置のヒータ制御動作を説明する。
まず、加熱停止状態では、加熱制御手段１１はヒータ接点制御手段９とヒータ電源制御手段７の何れにも駆動指示の信号を出力せず、コンロ用ヒータ２３、ロースター１の上面ヒータ２、ロースター１の下面ヒータ３の何れにも通電されないため、各通電検出手段３１、３２、３３から検出信号は出力されず、図５ではＤの状態となる。
【００２６】
次いで、加熱指示入力手段１２からコンロ用ヒータ２３の加熱指示が入力された場合には、加熱制御手段１１はヒータ接点制御手段９にはコンロ用ヒータ２３接続を指示し、ヒータ電源制御手段７にはオン状態を指示する。
ヒータ接点制御手段９はこの指示信号を受けて、前段電磁切り替えリレー８ａの制御信号をオン（後段電磁切り替えリレー８ｂの制御信号はオフ）にして、トライアック６の出力をコンロ用ヒータ２３に接続する。
また、ヒータ電源制御手段７はトライアック６に駆動信号を出力して通電させる。
この状態は、図５ではＥの状態で、コンロ用ヒータ２３の通電検出手段３１から検出信号が出力され、ロースター上面ヒータ２とロースター下面ヒータ３の通電検出手段３２、３３からは通電検出信号は出力されない。
【００２７】
加熱指示入力手段１２からロースター１の加熱指示が入力された場合には、加熱制御手段１１はヒータ接点制御手段９にはロースター上面ヒータ２、あるいはロースター下面ヒータ３の接続を指示し、ヒータ電源制御手段７にはオン状態を指示する。
ヒータ接点制御手段９はロースター上面ヒータ２接続の指示信号を受けた場合には、前段電磁切り替えリレー８ａ制御信号と後段電磁切り替えリレー８ｂ制御信号を共にオフ出力としてトライアック６の出力をロースター上面ヒータ２に接続する。
そして、ヒータ電源制御手段７はトライアック６に駆動信号を出力して通電させる。
この状態は、図５ではＦの状態で、コンロ用ヒータ２３とロースター下面ヒータ３の通電検出手段３１、３３からは通電検出信号は出力されず、ロースター上面ヒータ２の通電検出手段３２からは検出信号が出力される。
【００２８】
また、ヒータ接点制御手段９がロースター下面ヒータ３接続の指示信号を受けた場合には、前段電磁切り替えリレー８ａ制御信号をオフ出力とすると共に、後段電磁切り替えリレー８ｂ制御信号はオン出力にしてトライアック６の出力をロースター下面ヒータ３に接続する。
また、ヒータ電源制御手段７はトライアック６に駆動信号を出力して通電させる。
この状態は、図５ではＧの状態で、コンロ用ヒータ２３とロースター上面ヒータ２の通電検出手段３１、３２からは通電検出信号は出力されず、ロースター下面ヒータ３の通電検出手段３３からは検出信号が出力される。
【００２９】
次に、図６のフローチャートを用いて、ヒータ電源スイッチである無接点スイッチのトライアック６やヒータ接点切替えスイッチ８ａ、８ｂの電磁切替えリレー１８ａ、１８ｂの故障を検出する故障検出手段１４の動作を説明する。
図５のＤ、Ｅ、Ｆ、Ｇの状態において、故障検出手段１４は前段及び後段のヒータ接点切替えスイッチ８ａ、８ｂの電磁切替えリレー１８ａ、１８ｂの駆動信号、無接点スイッチの駆動信号、及び各ヒータ２３、２、３の通電検出手段３１、３２、３３の検出信号から、図６のフローチャート図に示すように、トライアック６及び電磁切替えリレー１８ａ、１８ｂの故障を検出する。
【００３０】
ステップ１１でトライアック６の駆動信号を判定し、トライアック６に駆動信号を出力していない（オフ）場合（図９：Ｄ状態）であれば、ステップ１２で各ヒータ２３、２、３の通電検知手段３１、３２、３３が全て通電無検知か否か判断し、全て無検知であれば正常とし、何れかで通電検知していた場合には故障検出とする。
ステップ１１でトライアック６に駆動信号を出力している（オン）場合には、ステップ１３でどのヒータの加熱指示かを判定し、コンロ用ヒータ２３への加熱指示の場合には、ステップ１４でコンロ用ヒータ２３の通電検出手段３１のみ通電検知しているか判定し、そうであれば正常とし、そうでない場合には故障検出とする。
また、ステップ１３でロースター上面ヒータ２への加熱指示の場合には、ステップ１５で上面ヒータ２の通電検知手段３２のみ検知して、他の通電検知手段３１、３３は検知していない状態か判断し、そうであれば正常とし、異なる状態の場合には故障検出とする。
また、ロースター下面ヒータ３への加熱指示の場合には、ステップ１６で下面ヒータ３の通電検知手段３３のみ検知して、他の通電検知手段３１、３２は検知していない状態か判断し、そうであれば正常とし、異なる状態の場合には故障検出とする。
故障検出した場合には、加熱制御手段１１はヒータ接点制御手段９とヒータ電源制御手段１５に対し、駆動停止指示の信号を出力して、加熱動作を停止させる。
【００３１】
以上のように、実施の形態２のヒータ制御装置では、前段のヒータ接点切替えスイッチ８ａは駆動されない（駆動トランジスタ１６ａがオフ）状態で第１接点２１ａがオンし、また、後段のヒータ接点切替えスイッチ８ｂは駆動されない（駆動トランジスタ１６ｂがオフ）状態で第１接点２１ｂがオンする構成となっており、即ち、両方共駆動しない場合には、ロースター上面ヒータ２が接続される。
また、前段のヒータ接点切替えスイッチ８ａを駆動（駆動トランジスタ１６ａをオン）すればコンロ用ヒータ２３が接続される。
さらに、前段のヒータ接点切替えスイッチ８ａは駆動せずに、後段のヒータ接点切替えスイッチ８ｂを駆動（駆動トランジスタ１６ｂをオン）すれば、ロースター下面ヒータ３が接続される。
【００３２】
従って、調理器使用時に最長の通電時間となるロースター上面ヒータ２使用には駆動電源１７ａ、１７ｂは使用する必要がなく、リレー駆動用の駆動電源１７ａ、１７ｂの電流容量は小さくてすみ、コストが安くなる。
また、ヒータ接点制御手段９から出力する制御信号は、駆動トランジスタ１６ａ、１６ｂの何れか一方を駆動するだけで、加熱を行うヒータを選択することができ、リレー駆動用の駆動電源１７ａ、１７ｂの電流容量は小さくてすみ、コストが安くなる。
さらに、前段電磁切り替えリレー１８ａが駆動不良となった場合には、リレー出力がロースター１側に接続されるため、コンロのように外部（上面）に加熱部が露出しているヒータ２３が加熱されることがない危険の少ないヒータ制御装置を得ることができる。
また、各ヒータ２３、２、３の通電検知手段３１、３２、３３の出力と、無接点スイッチ６及び電磁切り替えリレー８ａ、８ｂの動作状態から故障を検出し、加熱を停止するヒータ制御装置を得ることができる。
【００３３】
なお、本実施の形態では、ヒータ２３、２、３に印加される電圧を検出することにより各ヒータ２３、２、３への通電状態を検出するようにしたが、各ヒータ２３、２、３に流れる電流を検出するようにしてもよく、また、異なる加熱出力のヒータが接続される場合には、実施の形態１のように、検出した電流量から通電ヒータを判定しても良い。
また、ステップ１４、１５、１６で、それぞれ、通電があるか、ないかを判定し、ない場合は故障検出としてもよい。
【００３４】
本実施の形態のヒータ制御装置は、複数のヒータ接点切替えスイッチ８ａ、８ｂにより、ヒータ数の増加に対応したが、さらに、ヒータ数が多い場合は、３個以上を同様に接続してもよい。
また、ヒータ接点切替えスイッチ８は１個とし、１個の常閉接点２１と２個以上の切替え接点２２を設け、これらの切替え接点２２は、それぞれ専用の駆動トランジスタ１６及び駆動電源１７を持たせ、またそれぞれ専用のヒータと接続するようにしてもよい。さらに、ヒータ数が多い場合は、前記のヒータ接点切替えスイッチ８を実施の形態２に記載のように複数個接続してもよい。
【００３５】
本実施の形態のヒータ制御装置は、複数のヒータ接点切替えスイッチ８ａ、８ｂを直列に接続し、前段のヒータ接点切替えスイッチ８ａは、常閉接点である第１接点２１ａを介して後段のヒータ接点切替えスイッチ８ｂに接続するので、複数の接点で複数のヒータに対応できるとともに、複数のヒータ接点切替えスイッチを常閉接点である第１接点で接続し、通電時間の長いヒータに接続でき、接点切替えを少なくできる。
【００３６】
実施の形態１、２のヒータ制御装置は、故障検出手段１４を備え、この故障検出手段１４により、接点切替え信号の出力がない場合、ヒータ接点切替えスイッチ８の常閉接点２１に接続し、複数のヒータのうち通電時間が長くなる所定のヒータ２の通電を検出し、通電がない場合故障と判定するので、ヒータ接点切替えスイッチの常閉接点に係るスイッチ、ヒータの故障を検出できる。
【００３７】
また、実施の形態１、２のヒータ制御装置のヒータ接点切替えスイッチ８の複数の接点２１、２２は、加熱制御手段１１が接点切替え信号を出力しないとき接続する第１接点２１と、専用のヒータに接続し、また、接点切替え信号による専用の駆動電源１７の作動により切替え接続する第２接点２２とからなるので、何れのヒータに通電する場合も、駆動電源は同時に複数の接点切替えを作動する必要がなく、電流容量を小さくできる。
【００３８】
また、実施の形態１、２のヒータ制御装置のヒータ接点切替えスイッチ８は、駆動トランジスタ１６及び駆動電源１７により接点を切替える電磁切替えリレー１８であるので、接点の切替えが容易である。
【００３９】
また、実施の形態１、２のヒータ制御装置のヒータ電源スイッチ６は無接点スイッチであり、ヒータ２３、２、３への通電時は、有接点スイッチであるヒータ接点切替えスイッチ８を無接点スイッチ６より先にオン動作を行い、ヒータ２３、２、３への断電時には有接点スイッチ８より先にの無接点スイッチ６のオフ動作を行うので、ヒータの通断電時に有接点スイッチからアークが発生することが無く接点消耗を防止し、その耐久寿命を向上維持することができる。
【００４０】
実施の形態１、２では、ヒータ接点切替えスイッチは、加熱制御手段１１がヒータ接点制御手段９に接点切替え信号を出力しない場合は、複数のヒータ２３、２、３のうち、一回の使用時の通電時間が最も長くなるヒータ２と接続可能な接点と接続（オン）していたが、このヒータは、使用頻度及び一回の使用時の通電時間の積である累積通電時間が最も長くなるヒータとしてもよい。即ち、複数のヒータから通電時間が長くなる所定のヒータを選定し、ヒータ接点切替えスイッチの常閉接点である第１接点に接続する。
【００４１】
実施の形態１、２では、ヒータ電源スイッチ６は、無接点スイッチとしたが、有接点スイッチとし、接点容量を大きなものとしても、同様な効果が得られる。
【００４２】
【発明の効果】
この発明は、ヒータ電源スイッチと、該ヒータ電源スイッチをオンオフするヒータ電源制御手段と、複数の接点を有し、駆動電源により接点を切替えるヒータ接点切替えスイッチと、該ヒータ接点切替えスイッチの駆動電源を動作させ、ヒータ接点を切替えるヒータ接点制御手段と、ヒータ電源制御手段にヒータ電源スイッチのオンオフ信号を出し、また、ヒータ接点制御手段にヒータ接点切替え信号を出力する加熱制御手段と、加熱制御手段に加熱指示を入力する加熱指示入力手段とを備え、ヒータ接点切替えスイッチは、加熱制御手段がヒータ接点制御手段に接点切替え信号を出力しない場合は、通電時間が長くなる所定のヒータと接続可能な接点と接続するものであるので、ヒータ接点切替えスイッチの駆動電源の消費電流を少なくすることができ、電流容量を小さくでき、コストが安くなる。
【図面の簡単な説明】
【図１】本発明の実施の形態１に係わるヒータ制御装置の回路構成図である。
【図２】本発明の実施の形態１に係わるヒータ制御装置のタイミングチャート図である。
【図３】本発明の実施の形態１に係わるヒータ制御装置の故障検出のフローチャート図である。
【図４】本発明の実施の形態２に係わるヒータ制御装置の回路構成図である。
【図５】本発明の実施の形態２に係わるヒータ制御装置のタイミングチャート図である。
【図６】本発明の実施の形態２に係わるヒータ制御装置の故障検出のフローチャート図である。
【符号の説明】
２、３、２３  ヒータ、６  ヒータ電源スイッチ、７  ヒータ電源制御手段、８（８ａ、８ｂ）  ヒータ接点切替えスイッチ、８ａ  前段のヒータ接点切替えスイッチ、８ｂ  後段のヒータ接点切替えスイッチ、９  ヒータ接点制御手段、１１  加熱制御手段、１２  加熱指示入力手段、１４  故障検出手段、１６（１６ａ、１６ｂ）  駆動トランジスタ、１７（１７ａ、１７ｂ）  駆動電源、１８（１８ａ、１８ｂ）  電磁切替えリレー、２１（２１ａ、２１ｂ）  第１接点、２１（２１ａ、２１ｂ）、２２（２２ａ、２２ｂ）  接点、２２（２２ａ、２２ｂ）  第２接点。
【図１】
2004158311.tif 000003
【図２】
2004158311.tif 000004
【図３】
2004158311.tif 000005
【図４】
2004158311.tif 000006
【図５】
2004158311.tif 000007
【図６】
2004158311.tif 000008